(57)【要約】      （修正有）【課題】大きな天板でも撓み難く、安全に使用することができ、また組み立て性が向上し、季節に応じて収納や再使用の際の分解、組み立てが容易であり、組み上がり強度が大きくて安全に使用できるテーブル構造を提供する。【解決手段】脚５で支持された天板１を、平行に敷設された複数の角木材１１の上下面に表面材１２と裏面材１３を装着して形成し、金属角パイプ１４を一対の角木素材１１Ａで前後より挟持して外形が角木材１１と略同等の補強角材１６を形成し、補強角材１６を複数本、角木素材１１に混在させる。天板下面に熱源を装着する場合は、天板１の裏面に反射層を設け、反射層の下面側に遠赤外線発熱層を配設し、絶縁部で遮断されかつ互いに電気的に接続された複数枚の発熱素板を並べて遠赤外線発熱層を形成し、遠赤外線発熱層をその周縁及び絶縁部を介して天板１の下面に装着した。【選択図】図３
0003154489.tif 000002
【実用新案登録請求の範囲】
【請求項１】
適所が脚５で支持された天板１を、平行に敷設された複数の角木材１１の上下面に表面材１２と裏面材１３を装着して形成するに当たり、金属角パイプ１４を一対の角木素材１１Ａ、１１Ａで前後より挟持して外形が角木材１１と略同等の補強角材１６を形成し、この補強角材１６を複数本、角木素材１１、１１・・・に混在させたことを特徴とするテーブル構造。
【請求項２】
脚５を天板１に接合するに当たり、脚５の上端を天板１の下面にロック金具３２で緊結すると共に、円柱３１ａ、３１ａ・・を複数本、脚５の厚み方向に接合したダボ３１を天板１と脚５の接合穴に圧入したことを特徴とする請求項１に記載のテーブル構造。
【請求項３】
ロック金具３２はダボ３１の近傍で、脚５の厚みの中心の両側に分散した位置で脚５を天板１に緊結したことを特徴とする請求項１又は２に記載のテーブル構造。
【請求項４】
脚５にて支持された天板１の裏面に反射層２を設け、この反射層２の下面側に遠赤外線発熱層４を配設するに当たり、絶縁部７で遮断されかつ互いに電気的に接続された複数枚の発熱素板６を並べて遠赤外線発熱層４を形成し、この遠赤外線発熱層４をその周縁及び絶縁部７を介して天板１の下面に装着したことを特徴とする請求項１乃至３に記載のテーブル構造を用いた簡易暖房装置。
【考案の詳細な説明】
【技術分野】
【０００１】
本考案は、消費電力が少なく、熱くなり過ぎず緩やかに暖を取れる補助暖房装置に適したテーブル構造と、そのテーブル構造を用いた簡易暖房装置に関にするもので、天板が大きくなっても熱源の天板の略全面に亘る装着が確実であって安全に使用でき、大きな面積でも中央の撓みを減らし、安全に使用できるようにした。また脚を着脱可能にして不要時にはコンパクトに収納できるタイプにおいても、脚をぐらつき難く、確実強固に装着して安全に使用できるようにした。
【背景技術】
【０００２】
従来から、面状発熱体をコタツやテーブルの天板の下面に貼り付けたものが知られている（例えば実開昭４９−１２８５０４号公報）。
【０００３】
これは電熱線や赤外線発熱灯を具備した箱型の熱源を装着するものに比して厚みが少なく天板下面における出っ張りが少なくなったが、発熱体の放熱により暖を摂るものであることには変わりなく、放射熱の届くところは熱く、届かないところは暖かくならないので、コタツ布団で被わなければ暖房器具としては不十分と言えるものであり、また発熱体は消費電力が高く、不経済であった。
【０００４】
これを解決するものとして例えば実開昭６３−１３８１４２号公報号に記載のものが提案されてきた。これは面状発熱体の下面に遠赤外線輻射体層を貼り付けたものであるが、熱源として面状発熱体を使用することには変わりがなく、消費電力が高く不経済であり、温度コントロールが難しいことは解消できなかった。
【０００５】
更に最近では例えば実用新案登録第３０１９３４６号公報に記載のもののように、面状のセラミックやカーボンブラックの発熱体素子を保温材を介して反射板に重ねたものを机などの天板の下面に装着したものも提案されているが、発熱体素子は薄板状であるため、それ自体は強度がなく、天板などへの装着に当たっては、枠体に保持させてそれを天板に装着させるようにしている。その装着は吸着や粘着など簡単な手段で行われている。これは現行のやぐら炬燵の熱源程度の比較的小さなサイズ（３０ｃｍ×+３０ｃｍ程度から精々５０ｃｍ×６０ｃｍ程度）では天板への装着の可能であるが、大きなサイズの長机のような場合、天板の下面の略全面に熱源を施したい場合、１枚の熱源を天板下面に装着するには、一般的には中央部も通電部分を含むため中央を貫通しての固定ができず、周辺だけの固定となり、中央部の固定が不安定となって、大型ローテーブルなどでは天板下面の全面を単一のユニットで暖めようとした場合、広面積のユニットでは中央部が垂れることになり、余り大きなサイズのものは安全性の観点から採用し難いものであった。
【０００６】
また大きなリビングなどに大きなテーブルを置くことがあるが、その場合、固定タイプであれば補強金具をふんだんに使って天板に脚をぐらつかないように強固に固着すればよいが、脚が着脱できるタイプの場合、脚と天板の接合に不安があり、特に天板に横揺れ荷重が加わった場合に、接合部にぐらつきが生じやすく、余り大きなタイプのテーブルは実用的でなかった。 
【先行技術文献】
【特許文献】
【０００７】
【特許文献１】実開昭４９−１２８５０４号公報
【特許文献２】実開昭６３−１３８１４２号公報
【特許文献３】実用新案登録第３０１９３４６号公報
【考案の概要】
【考案が解決しようとする課題】
【０００８】
本考案のテーブルは、大型になっても天板の強度が高くて撓みにくく、天板下面全面に熱源を装着して長期に亘って使用しても熱源に断線も生じにくく、耐久性の向上を図るものである。
【０００９】
また、天板に脚を着脱可能として接合する場合、脚と天板の接合部分のぐらつきの発生を抑え、耐久性の向上を図るものである。
【００１０】
更に考案は天板に装着する熱源の使用電力が少なく、また発熱の使用効率が良く、大型の天板であっても中央部も含め、複数箇所を上下に貫通して天板に強国固着することができて安全に使用できるものである。
【課題を解決するための手段】
【００１１】
本考案の第１の特徴は、適所が脚２で支持された天板１を、平行に敷設された複数の角木材１１の上下面に表面材１２と裏面材１３を装着して形成するに当たり、金属角パイプ１４を一対の角木素材１１Ａ、１１Ａで前後より挟持して外形が角木材１１と略同等の補強角材１６を形成し、この補強角材１６を複数本、角木材１１、１１・・・に混在させたことである。
【００１２】
本考案の第２の特徴は、脚５を天板１に接合するに当たり、脚５の上端を天板１の下面にロック金具３２で緊結すると共に、円柱を複数本脚５の厚み方向に接合したダボ３１を天板１と脚５の接合穴に圧入したことである。
【００１３】
本考案の第３の特徴は、ロック金具３２はダボ３１の近傍で、脚５の厚みの中心の両側に偏位した位置で少なくとも２箇所ずつ施したことである。
【００１４】
本考案の第４の特徴は、脚５にて支持された天板１の裏面に反射層２を設け、この反射層２の下面側に（断熱層３を介して）遠赤外線発熱層４を配設するに当たり、絶縁部７で遮断されかつ互いに電気的に接続された複数枚の発熱素板６を並べて遠赤外線発熱層４を形成し、この遠赤外線発熱層４をその周縁及び絶縁部７を介して天板１の下面に装着したことである。
【考案の効果】
【００１５】
本考案は、軽くても天板の強度を向上させ、天板の撓みを抑えることにより、大型のテーブルでも安全に長期に亘り使用でき、また天板下面に熱源を装着した場合でも、その熱源の発熱層に断線などの惧れもなく安全に使用することができるようになった。
【００１６】
しかも使用せず収納したい時は分解できてコンパクトに収納できるが、組み立て時はロック金具３２天板１と脚５を上下に外れないように緊結できると共に、複数本の柱体を脚５の厚み方向に接合したダボ３１で複数箇所接合されるようにすると、天板１又は脚５に横から垂直な力が加わってもダボ３１による接合箇所のぐらつきを抑制して安全に使用できる。尚、脚５を着脱しない場合は、ダボ３１は天板１及び脚５の双方と接着などで固着すればよい。
【００１７】
また、ロック金具３２で脚５を天板１に緊結する場合、その緊結場所をダボ３１の近傍とし、かつ脚５の厚みの中心から互いに異なる方向にずれた少なくとも２箇所ずつで緊結するようにすると、ダボ３１による接合が強固となり、大型のテーブルでも、長期に亘っても脚５がぐらつくことなく、安全に使用できるものであり、脚５を天板１に固着する場合は勿論、殊に脚５を着脱できるようにする場合に好適である。
【００１８】
この場合、ダボ３１が円柱を複数本接合してあれば、ロック金具３２の緊結ポイントが、脚５の厚み方向の深さ位置に於いて、ダボ３１の各円柱の深さ位置と略一致させると、ロック金具３２によるダボ３１のぐらつきをより一層効果的に抑制することができる。
【００１９】
そして本考案は、大きな天板であっても大きな面積の遠赤外線発熱層を天板に中央部も含めて確実強固に取り付けることができて、安全に使用できるようになった。
【図面の簡単な説明】
【００２０】
【図１】本考案の概略斜視図である。
【図２】同上の縦断面図である。
【図３】同上の分解斜視図である。
【図４】同上の天板の要部の拡大斜視図である。
【図５】同上の脚の取付部分の拡大分解斜視図である。
【図６】同上の遠赤外線発熱体層の一例の概略平面図である。
【図７】同上の下面蓋の斜視図。
【図８】同上の遠赤外線発熱体層と下面蓋付近の一部省略拡大断面図。
【図９】同上のロック金具の緊結位置とダボの位置関係の説明図。
【考案を実施するための形態】
【００２１】
本考案は脚５にて支持された天板１の裏面に反射層２を設け、この反射層２の下面側に（断熱層３を介して）遠赤外線発熱層４を配設するに当たり、絶縁部７で遮断されかつ互いに電気的に接続された複数枚の発熱素板６を並べて遠赤外線発熱層４を形成し、この遠赤外線発熱層４をその周縁及び絶縁部７を介して天板１の下面に装着することにより、大きな天板であってもその下面の略全面に亘り無理なく確実強固に１枚の遠赤外線発熱体層４を装着できる簡易暖房装置を提供できた。
【実施例１】
【００２２】
以下本考案を図面に基づき詳細に説明する。図１は本考案の１実施例の概略を示すもので、天板１は脚５により適所が支持されている。脚５は図のように板状にしても良いし、柱体であっても構わない。脚５、５間の開口は必要に応じてカバー５０が着脱できる。天板１の下面には図２のようにアルミホイルやステンレス板等の反射層２が装着され、断熱層３を介してこの反射層２の下面に遠赤外線発熱体層４が装着されている。
【００２３】
天板１は例えば図３のように角木材１１、１１・・・を複数本束ねて集成し、その表裏に表面材１２と裏面材１３を装着して形成するものであるが、一部の角木材１１に代え、それと略同様の厚みの金属角パイプ１４を混在させている。図４の例では、外側に近い部分に金属角パイプ１４を配置するもので、その配置に当たっては、一対の角木素材１１Ａ、１１Ａ間に金属角パイプ１４を挟持し、図４のようにネジ１５や接着、ダボ止め等で緊結しておき、他の角木材１１、１１・・・と同様に並べ、接合される。
【００２４】
この場合、角木素材１１Ａ、１１Ａと金属角パイプ１４をネジ１５で緊結した補強角材１６の外寸が角木材１１の外寸と略同等としておくのが製造の上では好ましい。また、この補強角材１６は天板１の１又は２以上も箇所に配置することができるが、図示例では前側に２列、後側に２列配置している。
【００２５】
これらの補強角材１６と角木材１１の集合は縦横枠材１７、１８で周囲を囲まれ、表裏には表裏板１２、１３を貼り付けて天板１が形成される。尚、脚５を左右の端に装着する場合は、左右の縦枠材１７は夫々２本としておくのが強度に上から好ましい。外側の縦横枠１７、１８は夫々接着剤とダボ２０を併用して内側の部材に結合することができる。
【００２６】
図示例の脚５は縦横枠２１、２２で形成される骨組みの表裏に化粧板２３、２４を張り合わせたもので、縦横枠２１、２２で囲まれる凹所はハニカムなどの軽量補強部材２５が詰められる。また天板１と接合される上縁には補強桟２６が添えられる。ここでも前後の縦枠２１はいずれも２本ずつ配置して強度を上げることができ、両者は接着と併せてボス３０を適所に差し込むことにより接合することができる。
【００２７】
この脚５と天板１の接合はボス３１とロック金具３２の併用で行うことができる。ロック金具３２は任意のタイプのものを採用できるが、脚５の上端を天板１の下面に緊結するもので、図示例では、天板１より垂下した軸３３の係止頭３４に脚５に装着された回転体３５のカム溝３６を噛合わせることにより抜け止めとすることができる。これは回転体３５を逆転することによりカム溝３６が係止頭３４より外れて脚５を天板１から外すことができる。
【００２８】
尚、ボス３１は通常の１本の柱体のほか、図のように２本又はそれ以上の本数の円柱３１ａ、３１ｂ・・・を接合したものを採用することもできる。複数の円柱３１ａ、３１ｂ・・・を接合したボス３１を複数箇所に採用する場合は、脚５の厚み方向に対するぐらつきを改善することができる。
【００２９】
またロック金具３２による締め付け位置については、脚５の厚みの中心とすることもできるが、ボス３１の近傍を締め付けるようにする場合、厚みの中心線の両側に変位させた位置で複数箇所、緊結を行うのが好ましい。図示例では図９のように２本の円柱３１ａ、３１ｂの位置に対応してその近傍に軸３３の挿通穴３３ａ、３３ｂを設ける場合、挿通穴３３ａは円柱３１ａの延長線上に配置し、挿通穴３３ｂは円柱３１ｂの延長線上に位置するように配置して、ロック金具３２による緊結位置を例えば２箇所又はそれ以上に分散させてバランスを保つことにより、全体として脚５の天板１への取り付け強度の向上を図っている。また、図示例では、外観上の観点から、１つのボス３１に対して２箇所のロック金具３２、３２をいずれもボス３１の内方の近傍位置に設定したが、ボス３１の内側と外側の前後２箇所で挟む近傍位置で上記のように厚みの中心線の両側に変位させると更にバランスが良く、締め付け強度が更に向上する。この場合は図９で挿通穴３３ａ、３３ｂは想像線で示される３３ａ１、３３ｂ１の位置に変更して設置し、ロック金具３２を夫々に装着すれば良い。このロック金具３２、３２は総てのボス３１に対応して装着しても良いし、いずれか任意のボス３１に対応させるだけでも構わない。
【００３０】
これは、脚５に加わる矢印方向Ａ、Ｂの力を比較すると、Ｂの力は脚５の長手方向と平行であるため接合長さが十分で多少の力が掛かってもこの方向はぐらつきとならないが、Ａ方向の力は厚みの方向であって厚みの巾で受け止められるが、この方向を複数の円柱３１ａ、３１ｂで分散させることにより、図９のように、脚５に加わる力Ａ１、Ａ２とすると、Ａ１の時は円柱３１ａが抜けそうになるが、挿通穴３３ａに差し込まれたロック金具３２が抜けに対して抗力を発揮し、逆の場合は挿通穴３３ｂに差し込まれたロック金具３２が逆の円柱３１ｂの抜け止めとなり、いずれの方向の力に足してもがたつきが少なくなる。
【００３１】
遠赤外線発熱体層４は、図６のように間に絶縁部７を介して複数の発熱素子６、６・・・を並べたもので、発熱素子６、６間はいずれも互いに一部が通電部８により電気的に接続されている。９は全体の周囲を取り囲む樹脂やゴム等の絶縁枠、１０は給電コードである。天板１への装着に当たっては、絶縁部７を釘打ちするなど、金具を貫通させて天板１の下面に装着する。
【００３２】
遠赤外線発熱体層４の下面は図７、８のように蓋板４０で被われる。この蓋板４０は、薄い横桟４１、縦桟４２、４３、４４で組まれた格子の下面に突板のような化粧板４５を装着したもので、適所に施された通し孔４６より遠赤外線発熱体層４の給電コード１０が取り出される。ここで中間に位置する縦桟４３は上記発熱素子６、６・・・間の絶縁部７に合致して配置され、この縦桟４３と絶縁部７を釘やネジなどの止め具５３が貫通して遠赤外線発熱体層４が天板１下面に固着される。５４は止め具５３の頭を隠すキャップで、蓋板４０と面一としても良い。
【００３３】
天板１の前後縁と脚５、５の前後縁により構成される開口は必要に応じて布などのカバー５０で被われる。カバー５０の上縁と天板１の前縁に施されたファスナー５１、５２を綴じることによりカバー５０が開口に装着される。このファスナー５１、５２は通常の衣服のチャックや、面状ファスナーの他、ボタンやホックなどでも構わない。
【産業上の利用可能性】
【００３４】
薄型ヒータをコタツや机、テーブル等の天板の下面に装着することは従来から良く知られているが、従来の薄型ヒータは所定のサイズのユニットであり、天板の下面への装着は薄型ヒータを保持する枠材を天板にネジや磁石などにより取り付けており、枠材を使う分、重くなると共に、厚みが大きくなり、折角の薄い薄型発熱体の特性を殺していたが、本考案では枠材やケースが不要で、直接天板の下面に積層形成できて、何ら出っ張りを感じさせず、スマートに装着することができる。
【００３５】
また、従来のヒータユニットでは、天板の面積に比して小さく、天板が大きなテーブルに合わせた大きなサイズのヒータを採用したとしても、天板への装着はケースや枠材の周辺を天板に止着できるに過ぎないため、中央部が垂れる惧れがあったが、本考案では、複数枚の発熱素子６、６・・・の間を絶縁部７で隔離したので、この絶縁部７を天板１の下面に釘打ちなどにより止着できて、天板１の下面の略全面を遠赤外線発熱体層４で被っても、中央部が垂れることがなく、安全かつスマートに発熱層を形成することができた。
【００３６】
天板１を構成するにあたり、金属角パイプ１４を角木素材１１Ａ、１１Ａで挟持した補強角材１６を用いたので、天板１が薄くて広い場合でも強度を向上させることができ、混在する他の角木材１１と略同様のサイズとすることにより、歩留まりが向上する。
【符号の説明】
【００３７】
１は天板、２は反射層、３は断熱層、４は遠赤外線発熱層、５は脚、６は発熱素板、７は絶縁部、８は通電部、１１は角木材、１１Ａは角木素材、１２は表面材、１３は裏面材、１４は金属角パイプ、１６は補強角材、３１はダボ、３１ａ、３１ｂ・・・は円柱、３２はロック金具である。
【図１】
0003154489.tif 000003
【図２】
0003154489.tif 000004
【図３】
0003154489.tif 000005
【図４】
0003154489.tif 000006
【図５】
0003154489.tif 000007
【図６】
0003154489.tif 000008
【図７】
0003154489.tif 000009
【図８】
0003154489.tif 000010
【図９】
0003154489.tif 000011
【手続補正書】
【提出日】平成21年8月6日(2009.8.6)
【手続補正１】
【補正対象書類名】実用新案登録請求の範囲
【補正対象項目名】請求項３
【補正方法】変更
【補正の内容】
【請求項３】
ロック金具３２はダボ３１の近傍で、脚５の厚みの中心の両側に分散した位置で脚５を天板１に緊結したことを特徴とする請求項２に記載のテーブル構造。
【手続補正２】
【補正対象書類名】実用新案登録請求の範囲
【補正対象項目名】請求項４
【補正方法】変更
【補正の内容】
【請求項４】
脚５にて支持された天板１の裏面に反射層２を設け、この反射層２の下面側に遠赤外線発熱層４を配設するに当たり、絶縁部７で遮断されかつ互いに電気的に接続された複数枚の発熱素板６を並べて遠赤外線発熱層４を形成し、この遠赤外線発熱層４をその周縁及び絶縁部７を介して天板１の下面に装着したことを特徴とする請求項１乃至３のいずれか１項に記載のテーブル構造を用いた簡易暖房装置。